【手続補正書】
【提出日】平成17年12月21日(2005.12.21)
【手続補正１】
【補正対象書類名】明細書
【補正対象項目名】発明の名称
【補正方法】変更
【補正の内容】
【発明の名称】記録再生装置及び方法
【手続補正２】
【補正対象書類名】明細書
【補正対象項目名】特許請求の範囲
【補正方法】変更
【補正の内容】
【特許請求の範囲】
【請求項１】  固有のシリアル番号が付されており、音楽データが記録されているリムーバブルな第１の記録媒体から当該固有のシリアル番号と当該音楽データとを読み出す第１の読出手段と、
上記第１の読出手段により読み出した音楽データに所定の処理を行なう処理手段と、
上記処理手段による処理後の音楽データに上記第１の読出手段で読み出したシリアル番号を関連づけて第２の記録媒体に記録する第１の記録手段と、
イメージデータが記憶されているリムーバブルな記憶媒体が挿入されたかどうかを検出する検出手段と、
上記検出手段により上記記憶媒体が挿入されたことを検出した場合には、当該記憶媒体から所定のイメージデータを読み出す第２の読出手段と、
上記第２の読出手段により読み出したイメージデータを、上記第２の記録媒体に記録されている所定のシリアル番号に関連づけて上記第２の記録媒体に記録する第２の記録手段とを備えることを特徴とする記録再生装置。
【請求項２】  上記第２の読出手段は、上記記憶媒体に記憶されているイメージデータの中から、記憶された日時が一番新しいイメージデータを選択して読み出すことを特徴とする請求項１記載の記録再生装置。
【請求項３】  上記第２の記録手段は、上記第２の読出手段で読み出したイメージデータを、上記第２の記録媒体に記録されているシリアル番号の中から、一番新しいシリアル番号に関連づけて上記第２の記録媒体に記録することを特徴とする請求項１記載の記録再生装置。
【請求項４】  上記第１の記録媒体又は上記第２の記録媒体に記録されている音楽データを出力する音楽データ出力手段と、
上記第２の記録媒体に記録されているイメージデータを出力するイメージデータ出力手段とを備えることを特徴とする請求項１記載の記録再生装置。
【請求項５】  上記第１の記録媒体に記録されている音楽データから任意の音楽データを選択する第１の音楽データ選択手段と、
上記第１の音楽データ選択手段により選択された音楽データを上記第１の記録媒体から読み出す音楽データ読出手段と、
上記第１の記録媒体に付されているシリアル番号を読み出すシリアル番号読出手段と、
上記シリアル番号読出手段で読み出したシリアル番号と同一のシリアル番号が第２の記録媒体に記録されているかどうかを確認する確認手段と、
上記確認手段により上記第１の記録媒体に付されているシリアル番号と同一のシリアル番号が第２の記録媒体に記録されていることが確認された場合には、第２の記録媒体から当該シリアル番号に関連づけられているイメージデータを読み出すイメージデータ読出手段とを備え、
上記第１の記録媒体から音楽データを再生する場合には、上記音楽データ読出手段により読み出した音楽データを上記音楽データ出力手段から出力し、
上記イメージ読出手段により読み出したイメージデータを上記イメージデータ出力手段から出力することを特徴とする請求項４記載の記録再生装置。
【請求項６】  上記第２の記録媒体に記録されている音楽データから任意の音楽データを選択する第２の音楽データ選択手段と、
上記第２の音楽データ選択手段により選択された音楽データとともに、当該音楽データに関連づけられているイメージデータを上記第２の記録媒体から読み出すデータ読出手段とを備え、
上記第２の記録媒体から音楽データを再生する場合には、上記データ読出手段により読み出した音楽データを上記音楽データ出力手段から出力し、
上記読出手段により読み出したイメージデータを上記イメージデータ出力手段から出力することを特徴とする請求項４記載の記録再生装置。
【請求項７】  固有のシリアル番号が付されており、音楽データが記録されているリムーバブルな第１の記録媒体から当該固有のシリアル番号と当該音楽データとを読み出す第１の読出手段と、
上記第１の読出手段により読み出した音楽データに所定の処理を行なう処理手段と、
上記処理手段による処理後の音楽データに上記第１の読出手段で読み出したシリアル番号を関連づけて第２の記録媒体に記録する第１の記録手段と、
イメージデータが記憶されているメモリを有する端末装置にネットワークを介して接続する接続手段と、
上記接続手段により接続された端末装置のメモリから、所定のイメージデータを読み出す第２の読出手段と、
上記第２の読出手段により読み出したイメージデータを、上記第２の記録媒体に記録されている所定のシリアル番号に関連づけて上記第２の記録媒体に記録する第２の記録手段とを備えることを特徴とする記録再生装置。
【請求項８】  固有のシリアル番号が付されており、音楽データが記録されている光ディスクから当該固有のシリアル番号と当該音楽データとを読み出す第１の読出ステップと、
上記第１の読出ステップにより読み出した音楽データにデータ圧縮処理を行なう処理ステップと、
上記処理ステップによる圧縮処理後の音楽データに上記第１の読出ステップで読み出した上記シリアル番号を関連づけてＨＤＤ（Hard Disk Drive）に記録する第１の記録ステップと、
イメージデータが記憶されているリムーバブルなメモリが挿入されたかどうかを検出する検出ステップと、
上記検出ステップにより上記リムーバブルなメモリが挿入されたことを検出した場合には、当該メモリから所定のイメージデータを読み出す第２の読出ステップと、
上記第２の読出ステップにより読み出したイメージデータを、上記ＨＤＤに記録されている所定のシリアル番号に関連づけて上記ＨＤＤに記録する第２の記録ステップとを備えることを特徴とする記録再生方法。
【請求項９】  上記光ディスク又は上記ＨＤＤに記録されている音楽データを出力する音楽データ出力ステップと、
上記ＨＤＤに記録されているイメージデータを出力するイメージデータ出力ステップとを備えることを特徴とする請求項８記載の記録再生方法。
【請求項１０】  上記光ディスクに記録されている音楽データから任意の音楽データを選択する第１の音楽データ選択ステップと、
上記第１の音楽データ選択ステップにより選択された音楽データを上記光ディスクから読み出す音楽データ読出ステップと、
上記光ディスクに付されているシリアル番号を読み出すシリアル番号読出ステップと、
上記シリアル番号読出ステップで読み出したシリアル番号と同一のシリアル番号が上記ＨＤＤに記録されているかどうかを確認する確認ステップと、
上記確認ステップにより上記光ディスクに付されているシリアル番号と同一のシリアル番号が上記ＨＤＤに記録されていることが確認された場合には、当該ＨＤＤから当該シリアル番号に関連づけられているイメージデータを読み出すイメージデータ読出ステップとを備え、
上記光ディスクから音楽データを再生する場合には、上記音楽データ読出ステップにより読み出した音楽データを上記音楽データ出力ステップにより出力し、
上記イメージ読出ステップにより読み出したイメージデータを上記イメージデータ出力ステップにより出力することを特徴とする請求項９記載の記録再生方法。
【手続補正３】
【補正対象書類名】明細書
【補正対象項目名】０００１
【補正方法】変更
【補正の内容】
【０００１】
【発明の属する技術分野】
本発明は、媒体に音楽データを記録し、記録した音楽データを再生する記録再生装置及び方法に関し、詳しくは、記録した音楽データの再生とともに当該音楽データに関連したイメージデータを表示する記録再生装置及び方法に関する。
【手続補正４】
【補正対象書類名】明細書
【補正対象項目名】０００８
【補正方法】変更
【補正の内容】
【０００８】
そこで、本発明は、上述したような実情に鑑みて提案されたものであり、所定のイメージデータを、音楽データが記録されている第１の記録媒体（光ディスク）に記録されている音楽データと、ダビング（複製処理）により第２の記録媒体（ＨＤＤ）に記録された音楽データとに簡易に関連づける記録再生装置及び方法を提供することを目的とする。
【手続補正５】
【補正対象書類名】明細書
【補正対象項目名】００１０
【補正方法】変更
【補正の内容】
【００１０】
また、本発明に係る記録再生装置は、上述の課題を解決するために、固有のシリアル番号が付されており、音楽データが記録されているリムーバブルな第１の記録媒体から当該固有のシリアル番号と当該音楽データとを読み出す第１の読出手段と、上記第１の読出手段により読み出した音楽データに所定の処理を行なう処理手段と、上記処理手段による処理後の音楽データに上記第１の読出手段で読み出したシリアル番号を関連づけて第２の記録媒体に記録する第１の記録手段と、イメージデータが記憶されているメモリを有する端末装置にネットワークを介して接続する接続手段と、上記接続手段により接続された端末装置のメモリから、所定のイメージデータを読み出す第２の読出手段と、上記第２の読出手段により読み出したイメージデータを、上記第２の記録媒体に記録されている所定のシリアル番号に関連づけて上記第２の記録媒体に記録する第２の記録手段とを備える。
また、本発明に係る記録再生方法は、上述の課題を解決するために、固有のシリアル番号が付されており、音楽データが記録されている光ディスクから当該固有のシリアル番号と当該音楽データとを読み出す第１の読出ステップと、上記第１の読出ステップにより読み出した音楽データにデータ圧縮処理を行なう処理ステップと、上記処理ステップによる圧縮処理後の音楽データに上記第１の読出ステップで読み出した上記シリアル番号を関連づけてＨＤＤ（Hard Disk Drive）に記録する第１の記録ステップと、イメージデータが記憶されているリムーバブルなメモリが挿入されたかどうかを検出する検出ステップと、上記検出ステップにより上記リムーバブルなメモリが挿入されたことを検出した場合には、当該メモリから所定のイメージデータを読み出す第２の読出ステップと、上記第２の読出ステップにより読み出したイメージデータを、上記ＨＤＤに記録されている所定のシリアル番号に関連づけて上記ＨＤＤに記録する第２の記録ステップとを備える。
【手続補正６】
【補正対象書類名】明細書
【補正対象項目名】００７３
【補正方法】変更
【補正の内容】
【００７３】
【発明の効果】
以上詳細に説明したように、本発明に係る記録再生装置及び方法は、固有のシリアル番号が付されている光ディスクから音楽データを読み出し、読み出した音楽データに所定の処理（圧縮処理）を行ない、処理後の音楽データにシリアル番号を関連づけてＨＤＤに記録し、当該光ディスクに関連性のあるイメージデータが記憶されたメモリがイメージデータ読出部に装着されたときに、自動的に所定のプログラムを起動し、当該プログラムにしたがって、当該イメージデータが所定のシリアル番号に関連づけられてＨＤＤに記録されるので、シリアル番号を介して音楽データとイメージデータとを関連づけることができる。したがって、本発明に係る記録再生装置及び方法は、光ディスクに関連性のあるイメージデータをＨＤＤに記録した音楽データに関連づけて記録することができ、また、当該イメージデータを用いて演奏リストの生成を行うので、光ディスク及びＨＤＤから所望の音楽データを容易に検索することができる。